(57)【要約】【目的】本発明は、磁石ブロック玩具に関し、より詳細には、ブロック本体の両側に鋸歯形の締結部が形成されたキャップが結合されて、ブロック間の結合を堅固にすることができるだけでなく、ブロック本体およびキャップの色を多様にして、使用対象者である子供たちに興味を起こさせ、知能の開発に役立つことができる磁石ブロック玩具に関する。【構成】本発明に係る磁石ブロック玩具は、内部に突起と凹溝がそれぞれ対応するように形成されて相互に結合される一対のブラケットからなるブロック本体と、前記ブロック本体の両側にそれぞれ結合され外面に鋸歯形の締結部が形成されているキャップと、前記キャップの内部に備えられて磁力を発生させる磁石とを含むことを特徴とする。【選択図】        図１
2016131875.tif 000002
【特許請求の範囲】
【請求項１】
内部に突起１１１と凹溝１１２がそれぞれ対応するように形成されて相互に結合される一対のブラケット１１からなるブロック本体１と、
前記ブロック本体１の両側にそれぞれ結合され外面に鋸歯形の締結部２１が形成されるキャップ２と、
前記キャップ２の内部に備えられて磁力を発生させる磁石３と、
を含むことを特徴とする磁石ブロック玩具。
【請求項２】
前記ブロック本体１は、直線形、曲線形の中のいずれか１つの形態で形成されることを特徴とする請求項１に記載の磁石ブロック玩具。
【請求項３】
前記ブロック本体１の両側には、複数に分割された支持片１２が外向きに突出して形成され、前記支持片１２の端部に係止片１２１が一体に形成され、前記キャップ２の外周面には、前記係止片１２１が引っ掛けられるように係止溝２２が形成されることを特徴とする請求項１に記載の磁石ブロック玩具。  
【請求項４】
前記キャップ２の内部には、磁石３を固定するための磁石固定板２３が備えられ、前記ブロック本体１の両側中央には、前記キャップ２と結合されると同時に磁石固定板２３を支持するように、支持台１３が突出して形成されることを特徴とする請求項１に記載の磁石ブロック玩具。
【請求項５】
前記キャップ２の中央には、キャップを相互に連結する場合に磁石３の一部が露出されるように磁石露出孔２４が形成されることを特徴とする請求項１に記載の磁石ブロック玩具。
【発明の詳細な説明】
【技術分野】
【０００１】
本発明は、磁石ブロック玩具に関し、より詳細には、ブロック本体の両側に鋸歯形の締結部が形成されたキャップが結合されて、ブロック間の結合を堅固にすることができるだけでなく、ブロック本体およびキャップの色を多様にして、使用対象者である子供たちに興味を起こさせ、知能の開発に役立つことができる磁石ブロック玩具に関する。
【背景技術】
【０００２】
一般的に、ブロック玩具は、一定の立体形状からなる複数の組み立てブロックが相互に組み立てられることによって、様々な形の構造物を形成することができるもので、その組み立てによって子供たちに様々な教育的効果を付与することができ、様々な模型を創造的に製作することができるようにする遊戯用としても広く利用されている。
【０００３】
また、ブロック玩具は、それ自体では、単純な形の単位構成物であるブロックを複数組み合わせて、ユーザーが意図する特定の構造を作っていく過程を介して、意図した何かを作っていく達成感、組み立て過程での楽しさを感じることができるのはもちろん、立体構造を計画して作っていく訓練を介して、知的能力の向上の効果を得ることができ、乳幼児には認知力の向上、および身体の発達にも影響を与える。
【０００４】
このようなブロック玩具の最も単純な形態は、木材や合成樹脂素材の多角柱、円柱、多角錐、円錐、多角パネルなどの多くの立体形状から構成されたブロックを積み上げ方式で使用できるように構成されている。
【０００５】
一方、前記のように、積層式ブロック玩具とは異なり、ブロックの結合手段として磁石を使用するブロック玩具が開発され、最近多くの人気を得ており、このような形の磁石ブロック玩具は、その端部に配置された磁石の極性がそれぞれＮ極とＳ極に固定されるブロックを、磁性体金属球を媒介にして相互に結合させることで、様々な形態の造形物を組み立てることができるようになっている。
【０００６】
このような技術の一例は以下の文献１に開示されている。
【０００７】
以下の特許文献１には、両端部に配置される磁石を有する金属磁石部と、相互に対向されるように結合する時、前記磁石の一部が外部に露出するように、前記金属磁石部が収容されて結合可能な所定の収容空間を形成する一対の合成樹脂材本体と、前記の一対の合成樹脂材本体の相互対向される各対向端部に設けられて、前記一対の合成樹脂材本体を相互噛み合わせる噛み合い部と、を有する磁石ブロック玩具用スティック、および前記磁石ブロック玩具用スティックの両端部に磁気的に結合される複数の金属球を含むことを特徴とする磁石ブロック玩具について開示されている。
【０００８】
前記のように構成された従来のブロック玩具は、単純な製作工程で製作することができる組み立て方式の構造を有し、その組み立ても簡単で容易であるので、全体的に従来よりも容易で単純な方法で作製できながらも磁石が外部によく離脱しないようにする特徴を有する。
【０００９】
しかし、上述のような従来の技術は、ブロックを利用した複数の積層および３次元的な造形物を作成する時に、磁石間の結合力のみに依存して造形物が簡単に崩れたり、曲げたりして、想定した造形物を長く持続させるのが難しいという問題点があった。
【先行技術文献】
【特許文献】
【００１０】
【特許文献１】大韓民国実用新案登録公報第２０−０３９９４５０号
【発明の概要】
【発明が解決しようとする課題】
【００１１】
本発明の目的は上述のような問題点を解決するために提案されたものであって、ブロック本体の両側に鋸歯形の締結部が形成されたキャップが結合されてブロック間の結合を堅固にすることで、造形物が簡単に崩れず、長く耐えることができる磁石ブロック玩具を提供することを目的とする。
【００１２】
また、ブロック本体およびキャップの色を多様にし、ブロック本体の長さと形を様々に改善して、子供たちに興味を起こさせ、知能の開発に役立つ磁石ブロック玩具を提供することを目的とする。
【課題を解決するための手段】
【００１３】
前記の目的を実現するために、本発明に係る磁石ブロック玩具は、内部に突起と凹溝がそれぞれ対応するように形成されて、相互に結合されている一対のブラケットからなるブロック本体と、前記ブロック本体の両側にそれぞれ結合され、外面に鋸歯形の締結部が形成されるキャップと、前記キャップの内部に備えられて磁力を発生させる磁石とを含むことを特徴とする。
【発明の効果】
【００１４】
上述したように、本発明に係る磁石ブロック玩具は、キャップに形成された鋸歯形の締結部を介してブロック間の結合を堅固にすることにより、造形物が簡単に崩れず、長く耐えることができるようにする効果がある。
【００１５】
また、ブロック本体とキャップの色を多様にして、使用対象者である子供たちに興味を起こさせることはもちろん、美的感覚を向上させる一方で、ブロック本体の長さと形を多様にし、立体的な造形物の組み立てが可能になるようにして、子供の創造性の開発に役立つ効果がある。
【図面の簡単な説明】
【００１６】
【図１】本発明に係る磁石ブロック玩具を示す斜視図
【図２】本発明に係る磁石ブロック玩具を示す正面図
【図３】本発明に係る磁石ブロック玩具を示す分解斜視図
【図４】本発明に係る磁石ブロック玩具を示す断面図
【図５】本発明に係る磁石ブロック玩具のブロック本体を示す分解斜視図
【図６】本発明に係る磁石ブロック玩具のキャップを示す底面図
【図７】本発明のキャップに内蔵された磁石固定板の使用に伴う測定結果を示す図
【図８】本発明に係る磁石ブロック玩具の使用状態を示す斜視図
【図９】本発明に係る磁石ブロック玩具の使用状態を示す斜視図
【発明を実施するための形態】
【００１７】
本発明に係る磁石ブロック玩具は、内部に突起と凹溝がそれぞれ対応するように形成されて相互に結合される一対のブラケットからなるブロック本体と、前記ブロック本体の両側にそれぞれ結合され外面に鋸歯形の締結部が形成されるキャップと、前記キャップの内部に備えられて磁力を発生させる磁石とを含むことを特徴とする。
【００１８】
また、前記ブロック本体は、直線形、曲線形の中のいずれか一つの形態で形成されることを特徴とする。
【００１９】
また、前記ブロック本体の両側には、複数に分割された支持片が外向に突出して形成され、前記支持片の端部に係止片が一体に形成され、前記キャップの外周面には、前記係止片が引っ掛けられるように係止溝が形成されていることを特徴とする。
【００２０】
また、前記キャップの内部には、磁石を固定するための磁石固定板が設置され、前記ブロック本体の両側中央には、前記キャップと結合されると同時に磁石固定板を支持するように、支持台が突出して形成されることを特徴とする。
【００２１】
また、前記キャップの中央には、キャップを相互に連結する場合に磁石の一部が露出するように磁石露出孔が形成されることを特徴とする。
【００２２】
以下、本発明の好ましい実施例を添付された図面を参照して説明すると、次の通りである。
【００２３】
図１は、本発明に係る磁石ブロック玩具を示す斜視図であり、図２は、本発明に係る磁石ブロック玩具を示す正面図であり、図３は、本発明に係る磁石ブロック玩具を示す分解斜視図であり、図４は、本発明に係る磁石ブロック玩具を示す断面図であり、図５は、本発明に係る磁石ブロック玩具のブロック本体を示す分解斜視図であり、図６は、本発明に係る磁石ブロック玩具のキャップを示す底面図であり、図７は、本発明のキャップに内蔵された磁石固定板の使用に伴う測定結果を示す図であり、図８及び図９は、本発明に係る磁石ブロック玩具の使用状態を示す斜視図である。
【００２４】
図１や図６に示すように、本発明に係る磁石ブロック玩具は、一対のブラケット１１からなるブロック本体１と、前記ブロック本体１の両側にそれぞれ結合されるキャップ２と、前記キャップ２の内部に備えられる磁石３とを含んでいる。
まず、前記ブロック本体１は、バー形態で構成され、材質は合成樹脂からなることが望ましい。
【００２５】
前記ブロック本体１は、内部に突起１１１と凹溝１１２がそれぞれ対応するように形成された一対のブラケット１１が相互に結合されて構成される。特に、前記ブロック本体１は、直線形または曲線形の形態で形成されて、様々な立体造形物の組み立てが可能である。
【００２６】
また、前記ブロック本体１は、断面が円形または角形で形成され、様々な長さで形成されることが好ましい。
【００２７】
前記ブロック本体１の両側には、複数に分割された支持片１２が外向きに突出して形成され、前記支持片１２の端部に係止片１２１が一体に形成されている。前記支持片１２は、複数の切り込み溝１２２によって複数に分割して形成され、前記係止片１２１は、前記支持片１２の端部から外側に傾斜するように突出して形成される。
前記ブロック本体１の両側中央には前記キャップ２と結合されると同時に磁石固定板２３を支持するように支持台１３が突出して形成される。前記支持台１３は「−」字または「＋」字型になることが好ましく、前記支持台１３が嵌め込まれるように、前記キャップ２の内部には、凹溝突起２５が形成される。
【００２８】
つまり、前記ブロック本体１の支持片１２および係止片１２１にキャップ２が結合され、係止片１２１がキャップ２の係止溝２２に引っ掛けられ、同時に前記支持台１３がキャップ２の凹溝突起２５に嵌め込まれてキャップ２が堅固に結合されるようになる。
前記キャップ２は、前記ブロック本体１の両側にそれぞれ結合され外面に鋸歯形の締結部２１が形成され、その外周面には、前記ブロック本体１の係止片１２１が引っ掛けられるように係止溝２２が形成される。
【００２９】
前記締結部２１は、複数個の磁石ブロック玩具の結合時、相互に噛み合うように結合される。特に、磁石ブロック玩具の結合時、締結部２１により磁気間の距離が短くなり、磁石ブロック玩具間の結合力が増大する。また、複数の磁石ブロック玩具が磁石３の磁力により結合される時、締結部２１の噛み合いにより磁石ブロック玩具の相対回転を抑制させることができる。
【００３０】
したがって、前記のように、キャップ２に形成される鋸歯形の締結部２１を介してブロック間の結合を堅固にすることで、造形物が簡単に崩れず長く耐えることができるようにする。
【００３１】
前記キャップ２の内部には、磁石３を固定するための金属製の磁石固定板２３が備えられ、前記キャップ２の中央にはキャップを相互に連結する場合に、磁石３の一部が露出されるように磁石露出孔２４が形成される。
【００３２】
前記磁石固定板２３は、前記キャップ２の内部に備えられて磁力を発生させる磁石３の後方に配置されて磁石３を固定させる役割をする一方、磁石３による結合力を付加させる役割もする。図７に示すように、磁石固定板（例えば、鉄板）を使用する場合、磁石による磁力が磁石固定板２３を使用していない場合より高く示していることを知ることができ、したがって、磁石固定板２３の使用に伴う磁石間の結合力がより強いことを意味する。
【００３３】
一方、前記ブロック本体１とキャップ２の色を多様にし、使用対象者である子供の好みに合わせて様々な色で演出することで、興味を起こさせることはもちろん、美的感覚を向上させることができる。
【００３４】
図８及び図９に示すように、本発明に係る磁石ブロック玩具は、直線形または曲線形の形態で構成されて、これらの結合に伴う３次元の立体造形物を作成することができる。そのほかにも、球形の構成物とも結合可能なので、様々な形態の立体造形物の組み立てがいくらでも可能である。
【００３５】
本発明は、添付された図面を参照して、好ましい実施例を中心に記述されたが、当業者であれば、これらの記載から、本発明の範囲を逸脱することなく、各種の自明な変形が可能であることは明らかである。したがって、本発明の範囲は、このような多くの変形例を含むように記述された特許請求の範囲によって解釈されるべきである。
【符号の説明】
【００３６】
１：ブロック本体
１１：ブラケット
１１１：突起
１１２：凹溝
１２：支持片
１２１：係止片、
１２２：切り込み溝
１３：支持台
２：キャップ
２１：締結部
２２：係止溝
２３：磁石固定板
２４：磁石露出孔
２５：凹溝突起
３：磁石
【図１】
2016131875.tif 000003
【図２】
2016131875.tif 000004
【図３】
2016131875.tif 000005
【図４】
2016131875.tif 000006
【図５】
2016131875.tif 000007
【図６】
2016131875.tif 000008
【図７】
2016131875.tif 000009
【図８】
2016131875.tif 000010
【図９】
2016131875.tif 000011